(57)【要約】【課題】主幹ブレーカが遮断されて全停電状態になるおそれを低減することができる配電システムを提供する。【解決手段】主幹ブレーカ２は、電流センサ２２によって検出された電流Ｉｓを配電制御装置４へ送信する電力線搬送通信回路２３を備え、配電制御装置４は、複数の分岐ブレーカ３のうち少なくとも一つを選択する分岐ブレーカ選択部４２０と、電流Ｉｓが第１閾値電流Ｖｔｈ１以上である場合、電力線搬送通信回路４１から選択された分岐ブレーカ３へ遮断要求を送信させる遮断要求部４２１とを備え、各分岐ブレーカ３は、遮断要求が受信された場合、遮断器３４を遮断させる遮断制御部３６１とを備えた。【選択図】図６
2008278569.tif 000002
【特許請求の範囲】
【請求項１】
外部から受電した電流を出力すると共に当該電流が定格電流以上になった場合、当該電流出力を遮断する主幹ブレーカと、
前記主幹ブレーカから出力された電流を開閉する複数の分岐ブレーカと、
前記複数の分岐ブレーカの開閉を制御する配電制御部とを備え、
前記主幹ブレーカは、
当該主幹ブレーカを流れる電流を検出する主幹電流検出部と、
前記主幹電流検出部によって検出された電流値に関する主幹電流情報を前記配電制御部へ送信する主幹側通信部とを備え、
前記配電制御部は、
前記主幹ブレーカ及び前記複数の分岐ブレーカと通信を行う制御側通信部と、
前記複数の分岐ブレーカのうち少なくとも一つを選択する分岐ブレーカ選択部と、
前記制御側通信部により前記主幹側通信部から受信された前記主幹電流情報が、前記主幹ブレーカの出力電流が前記定格電流より小さい電流値に設定された第１閾値電流以上であることを示す場合、前記制御側通信部によって、前記分岐ブレーカ選択部により選択された分岐ブレーカへ電流遮断を要求する遮断要求を送信させる遮断要求部とを備え、
前記各分岐ブレーカは、
前記配電制御部と通信を行う分岐側通信部と、
前記分配される分配電流が予め設定された遮断電流以上になった場合、当該分配電流を遮断する遮断部と、
前記分岐側通信部によって前記遮断要求が受信された場合、前記遮断部により前記分配電流を遮断させる遮断制御部とを備えること
を特徴とする配電システム。
【請求項２】
前記各分岐ブレーカは、
当該各分岐ブレーカを流れる電流を検出し、前記分岐側通信部によって、当該検出された電流値を示す分岐電流情報を前記配電制御部へ送信させる第１電流通知部をさらに備え、
前記分岐ブレーカ選択部は、
前記複数の分岐ブレーカから受信された前記各分岐ブレーカの分岐電流情報のうち最大の電流値を示す分岐電流情報を送信した分岐ブレーカを、選択すること
を特徴とする請求項１記載の配電システム。
【請求項３】
前記複数の分岐ブレーカには、予め優先的に電流供給を維持させるべき度合いを示す優先度が設定されており、
前記各分岐ブレーカは、
当該各分岐ブレーカを流れる電流を検出し、前記分岐側通信部によって、当該検出された電流値を示す分岐電流情報を前記配電制御部へ送信させる第１電流通知部をさらに備え、
前記分岐ブレーカ選択部は、
前記各分岐ブレーカにおける優先度が低い方から順に選んだ一部の分岐ブレーカのうち、最大の電流値を示す分岐電流情報を送信した分岐ブレーカを、選択すること
を特徴とする請求項１記載の配電システム。
【請求項４】
前記分岐ブレーカ選択部は、
前記分岐ブレーカを選択した場合、当該選択した分岐ブレーカの優先度を高めるように変更すること
を特徴とする請求項３記載の配電システム。
【請求項５】
前記各分岐ブレーカは、
前記遮断部によって前記分配電流が遮断された場合、前記分配電流が前記遮断電流以上になることにより遮断されたのか、前記分岐側通信部によって前記遮断要求が受信されることにより遮断されたのかを報知する第１報知部をさらに備えること
を特徴とする請求項１〜４のいずれか１項に記載の配電システム。
【請求項６】
前記主幹電流情報が、前記主幹ブレーカの出力電流が前記第１閾値電流より小さい電流値に設定された第２閾値電流以上であることを示す場合、警告を報知する警告報知部をさらに備え、
前記配電制御部は、
前記主幹側通信部から前記制御側通信部により受信された前記主幹電流情報が、前記主幹ブレーカの出力電流が前記第１閾値電流より小さい電流値に設定された第２閾値電流以上であることを示す場合、前記制御側通信部によって、前記分岐ブレーカ選択部により選択された分岐ブレーカへ、警告を報知させるための警告報知要求を送信させる警告報知要求部をさらに備え、
前記各分岐ブレーカは、
前記分岐側通信部によって前記警告報知要求が受信された場合、警告を報知する分岐側警告報知部をさらに備えること
を特徴とする請求項１〜５のいずれか１項に記載の配電システム。
【請求項７】
前記複数の分岐ブレーカによって供給された分配電流を受電するコンセント部と、
前記主幹電流検出部によって検出された主幹電流情報を前記コンセント部へ送信する主幹電流通知部と、
前記各分岐ブレーカを流れる電流値を示す分岐電流情報を前記コンセント部へ送信する第２電流通知部とをさらに備え、
前記コンセント部は、
前記主幹電流通知部及び前記第２電流通知部と通信を行うコンセント側通信部と、
前記コンセント側通信部により受信された前記主幹電流情報を報知する主幹電流情報報知部と、
前記コンセント側通信部により受信された前記分岐電流情報を報知する分岐電流情報報知部とをさらに備えること
を特徴とする請求項１〜６のいずれか１項に記載の配電システム。
【請求項８】
外部から受電した電流を出力すると共に当該電流が定格電流以上になった場合、当該電流出力を遮断する主幹ブレーカと、
前記主幹ブレーカから出力された電流を開閉する複数の分岐ブレーカと、
前記複数の分岐ブレーカによって供給された分配電流を受電するコンセント部と、
前記コンセント部による電流供給を制御する配電制御部とを備え、
前記主幹ブレーカは、
当該主幹ブレーカを流れる電流を検出する主幹電流検出部と、
前記主幹電流検出部によって検出された電流値に関する主幹電流情報を前記配電制御部へ送信する主幹側通信部とを備え、
前記配電制御部は、
前記複数の分岐ブレーカから前記分配電流を受電するコンセント部及び前記主幹ブレーカと通信を行う制御側通信部と、
前記制御側通信部により前記主幹側通信部から受信された前記主幹電流情報が、前記主幹ブレーカの出力電流が前記定格電流より小さい電流値に設定された第１閾値電流以上であることを示す場合、前記制御側通信部によって、前記コンセント部へ電流遮断を要求する遮断要求を送信させる遮断要求部とを備え、
前記コンセント部は、
前記配電制御部と通信を行うコンセント側通信部と、
前記分岐ブレーカから受電した電流を外部へ供給する複数のコネクタ部と、
前記各コネクタ部による外部への電流供給をそれぞれオン、オフする複数のスイッチ部と、
前記コンセント側通信部により前記遮断要求が受信された場合、前記複数のコネクタ部のうち少なくとも一つを選択し、当該選択されたコネクタ部の電流供給を遮断するように、前記スイッチ部をオフさせるコンセント制御部とを備え、
前記複数のコネクタ部には、電流供給を優先的に維持すべき度合いを示す優先度が互いに異なる度合いに設定されており、
前記コンセント制御部は、前記複数のコネクタ部のうち前記優先度が最も低いコネクタ部を選択すること
を特徴とする配電システム。
【請求項９】
前記コンセント部は、
前記複数のコネクタ部における前記優先度の設定を受け付ける設定受付部をさらに備えること
を特徴とする請求項８記載の配電システム。
【発明の詳細な説明】
【技術分野】
【０００１】
本発明は、主幹ブレーカと、主幹ブレーカから出力された電流を開閉する複数の分岐ブレーカとを備えた配電システムに関する。
【背景技術】
【０００２】
従来より、配電盤に主幹ブレーカと、主幹ブレーカから出力された電流を開閉する複数の分岐ブレーカとを備えた配電システムが広く用いられている。このような配電システムでは、主幹ブレーカの定格容量は、分岐ブレーカの定格容量の総和より少ないケースが大半を占めている。このため、配電盤内の全ての分岐ブレーカが定格容量内で使用されていたとしても分岐ブレーカの電力総和が主幹ブレーカの契約定格容量を超えることによって、主幹ブレーカが遮断されてしまい、主幹ブレーカの下流の広い範囲で全停電が生じてしまうという、不都合があった。
【０００３】
そこで、主幹ブレーカから電力供給されるすべての家電機器について、当該家電機器への電力供給をそれぞれオン、オフできる端末装置を取り付け、主幹ブレーカを流れる電流が定格容量に近づいた場合に、一部の端末装置へ通信信号を送信して家電機器への電力供給をオフさせることにより、主幹ブレーカが遮断されることを防止する電力制御システムが知られている（例えば、特許文献１参照。）。
【特許文献１】特開２００３−３１９５７２号公報
【発明の開示】
【発明が解決しようとする課題】
【０００４】
しかしながら、上述の電力制御システムでは、すべての分岐ブレーカの配下にある家電機器に対して、それぞれ端末装置を設ける必要があり、新たに家電機器が加わる都度新たに端末装置を取り付けなければならないため、システム構築の運用面での手間が多く、またコストの増大を招くという不都合があった。また家電機器毎に端末装置を取り付けるための場所を確保する必要が生じるという不都合もあった。
【０００５】
本発明は、このような事情に鑑みて為された発明であり、主幹ブレーカが遮断されて全停電状態になるおそれを低減することができる配電システムを提供することを目的とする。
【課題を解決するための手段】
【０００６】
本発明に係る配電システムは、外部から受電した電流を出力すると共に当該電流が定格電流以上になった場合、当該電流出力を遮断する主幹ブレーカと、前記主幹ブレーカから出力された電流を開閉する複数の分岐ブレーカと、前記複数の分岐ブレーカの開閉を制御する配電制御部とを備え、前記主幹ブレーカは、当該主幹ブレーカを流れる電流を検出する主幹電流検出部と、前記主幹電流検出部によって検出された電流値に関する主幹電流情報を前記配電制御部へ送信する主幹側通信部とを備え、前記配電制御部は、前記主幹ブレーカ及び前記複数の分岐ブレーカと通信を行う制御側通信部と、前記複数の分岐ブレーカのうち少なくとも一つを選択する分岐ブレーカ選択部と、前記制御側通信部により前記主幹側通信部から受信された前記主幹電流情報が、前記主幹ブレーカの出力電流が前記定格電流より小さい電流値に設定された第１閾値電流以上であることを示す場合、前記制御側通信部によって、前記分岐ブレーカ選択部により選択された分岐ブレーカへ電流遮断を要求する遮断要求を送信させる遮断要求部とを備え、前記各分岐ブレーカは、前記配電制御部と通信を行う分岐側通信部と、前記分配される分配電流が予め設定された遮断電流以上になった場合、当該分配電流を遮断する遮断部と、前記分岐側通信部によって前記遮断要求が受信された場合、前記遮断部により前記分配電流を遮断させる遮断制御部とを備える。
【０００７】
この構成によれば、外部から受電した電流を出力すると共に当該電流が定格電流以上になった場合、当該電流出力を遮断する主幹ブレーカと、主幹ブレーカから出力された電流を開閉する複数の分岐ブレーカと、複数の分岐ブレーカの開閉を制御する配電制御部とを備えた配電システムにおいて、主幹電流検出部によって、主幹ブレーカを流れる電流が検出され、主幹電流検出部によって検出された電流値に関する主幹電流情報が、主幹側通信部によって配電制御部へ送信される。また、配電制御部では、分岐ブレーカ選択部によって、複数の分岐ブレーカのうち少なくとも一つが選択される。そして、制御側通信部により主幹側通信部から受信された主幹電流情報が、主幹ブレーカの出力電流が定格電流より小さい電流値に設定された第１閾値電流以上であることを示す場合、遮断要求部によって、制御側通信部から分岐ブレーカ選択部により選択された分岐ブレーカへ電流遮断を要求する遮断要求が送信される。さらに各分岐ブレーカにおいて、分岐側通信部によって遮断要求が受信された場合、遮断制御部によって、遮断部により分配電流が遮断される。この場合、主幹ブレーカを流れる電流が定格電流以上になって主幹ブレーカが遮断する前に、分岐ブレーカが遮断して主幹ブレーカを流れる電流が減少するので、主幹ブレーカが遮断されて全停電状態になるおそれを低減することができる。
【０００８】
また、前記各分岐ブレーカは、当該各分岐ブレーカを流れる電流を検出し、前記分岐側通信部によって、当該検出された電流値を示す分岐電流情報を前記配電制御部へ送信させる第１電流通知部をさらに備え、前記分岐ブレーカ選択部は、前記複数の分岐ブレーカから受信された前記各分岐ブレーカの分岐電流情報のうち最大の電流値を示す分岐電流情報を送信した分岐ブレーカを、選択することが好ましい。
【０００９】
この構成によれば、各分岐ブレーカにおいて、各分岐ブレーカを流れる電流の電流値を示す分岐電流情報が、第１電流通知部によって、分岐側通信部から配電制御部へ送信される。そして、分岐ブレーカ選択部によって、遮断要求の送信先として、複数の分岐ブレーカから受信された各分岐ブレーカの分岐電流情報のうち最大の電流値を示す分岐電流情報を送信した分岐ブレーカが選択され、当該分岐ブレーカが遮断される。そうすると、分配電流が最も多く、従って当該分岐ブレーカの下流に接続された電気機器や配線系統等に異常が生じている可能性が高い分岐ブレーカが遮断されることで、主幹ブレーカを流れる電流が減少され、主幹ブレーカの遮断を回避することができるので、主幹ブレーカが遮断されて全停電状態になるおそれを低減することができる。
【００１０】
また、前記複数の分岐ブレーカには、予め優先的に電流供給を維持させるべき度合いを示す優先度が設定されており、前記各分岐ブレーカは、当該各分岐ブレーカを流れる電流を検出し、前記分岐側通信部によって、当該検出された電流値を示す分岐電流情報を前記配電制御部へ送信させる第１電流通知部をさらに備え、前記分岐ブレーカ選択部は、前記各分岐ブレーカにおける優先度が低い方から順に選んだ一部の分岐ブレーカのうち、最大の電流値を示す分岐電流情報を送信した分岐ブレーカを、選択するようにしてもよい。
【００１１】
この構成によれば、複数の分岐ブレーカには、予め優先的に電流供給を維持させるべき度合いを示す優先度が設定されている。また、各分岐ブレーカにおいて、第１電流通知部によって、当該各分岐ブレーカを流れる電流が検出され、分岐側通信部によって、当該検出された電流値を示す分岐電流情報が配電制御部へ送信される。そして、分岐ブレーカ選択部によって、各分岐ブレーカにおける優先度が低い方から順に選んだ一部の分岐ブレーカのうち、最大の電流値を示す分岐電流情報を送信した分岐ブレーカが、遮断要求の送信先として選択される。この場合、優先度が低い方から順に選んだ一部の分岐ブレーカの中から遮断要求の送信先が選択されるので、分岐ブレーカが遮断された際の影響が低減される。さらに、優先度が低い方から順に選んだ一部の分岐ブレーカのうち、最大の電流値を示す分岐電流情報を送信した分岐ブレーカが遮断要求の送信先として選択されるので、当該分岐ブレーカが遮断された際の主幹ブレーカを流れる電流の低減量が増大される。
【００１２】
また、前記分岐ブレーカ選択部は、前記分岐ブレーカを選択した場合、当該選択した分岐ブレーカの優先度を高めるように変更することが好ましい。この構成によれば、遮断要求の送信先として選択された分岐ブレーカの優先度が高められる結果、特定の分岐ブレーカに遮断が集中するおそれが低減される。
【００１３】
また、前記各分岐ブレーカは、前記遮断部によって前記分配電流が遮断された場合、前記分配電流が前記遮断電流以上になることにより遮断されたのか、前記分岐側通信部によって前記遮断要求が受信されることにより遮断されたのかを報知する第１報知部をさらに備えることが好ましい。
【００１４】
この構成によれば、各分岐ブレーカにおいて、遮断部によって分配電流が遮断された場合、第１報知部によって、分配電流が遮断電流以上になることにより遮断されたのか、分岐側通信部によって遮断要求が受信されることにより遮断されたのかが報知されるので、ユーザは、分岐ブレーカが遮断された原因を知ることができる結果、復旧作業が容易となる。
【００１５】
また、前記主幹電流情報が、前記主幹ブレーカの出力電流が前記第１閾値電流より小さい電流値に設定された第２閾値電流以上であることを示す場合、警告を報知する警告報知部をさらに備え、前記配電制御部は、前記主幹側通信部から前記制御側通信部により受信された前記主幹電流情報が、前記主幹ブレーカの出力電流が前記第１閾値電流より小さい電流値に設定された第２閾値電流以上であることを示す場合、前記制御側通信部によって、前記分岐ブレーカ選択部により選択された分岐ブレーカへ、警告を報知させるための警告報知要求を送信させる警告報知要求部をさらに備え、前記各分岐ブレーカは、前記分岐側通信部によって前記警告報知要求が受信された場合、警告を報知する分岐側警告報知部をさらに備えることが好ましい。
【００１６】
この構成によれば、主幹ブレーカの出力電流が第１閾値電流以上になって分岐ブレーカのいずれかが遮断される前に、警告報知部によって警告が報知されるので、ユーザは、分岐ブレーカが遮断されて部分停電が発生する前に、予防処置を講じることが可能となる。そして、主幹ブレーカの出力電流が第１閾値電流以上になって分岐ブレーカが遮断される前に、遮断要求の送信先として選択されている分岐ブレーカへ、警告報知要求部によって警告報知要求が送信される。そして、警告報知要求を受信した分岐ブレーカ、すなわち主幹ブレーカの出力電流が第１閾値電流以上になった場合に遮断される分岐ブレーカにおいて、分岐側警告報知部によって警告が報知されるので、ユーザは主幹ブレーカの出力電流が第１閾値電流以上になった場合に遮断されることになる分岐ブレーカを事前に知ることができる結果、分岐ブレーカが遮断されて部分停電が発生する前に、予防処置を講じることが可能となる。
【００１７】
また、前記複数の分岐ブレーカによって供給された分配電流を受電するコンセント部と、前記主幹電流検出部によって検出された主幹電流情報を前記コンセント部へ送信する主幹電流通知部と、前記各分岐ブレーカを流れる電流値を示す分岐電流情報を前記コンセント部へ送信する第２電流通知部とをさらに備え、前記コンセント部は、前記主幹電流通知部及び前記第２電流通知部と通信を行うコンセント側通信部と、前記コンセント側通信部により受信された前記主幹電流情報を報知する主幹電流情報報知部と、前記コンセント側通信部により受信された前記分岐電流情報を報知する分岐電流情報報知部とをさらに備えることが好ましい。
【００１８】
この構成によれば、複数の分岐ブレーカによって供給された分配電流がコンセント部によって受電される。また、主幹電流検出部によって検出された主幹電流情報が、主幹電流通知部によって、コンセント部へ送信され、各分岐ブレーカを流れる電流値を示す分岐電流情報が、第２電流通知部によって、コンセント部へ送信される。そして、コンセント部における主幹電流情報報知部によって、コンセント側通信部により受信された主幹電流情報が報知され、コンセント部における分岐電流情報報知部によって、コンセント側通信部により受信された分岐電流情報が報知される。そうすると、ユーザは、配電盤に収容されておらず、室内に配設されて見やすい場所に取り付けられるコンセント部における主幹電流情報報知部によって、主幹ブレーカに流れる電流の状況を知ることができ、分岐電流情報報知部によって、分岐ブレーカを流れる電流値を知ることができるので、ユーザが配電システムの状況を把握することが容易となる。
【００１９】
また、本発明に係る配電システムは、外部から受電した電流を出力すると共に当該電流が定格電流以上になった場合、当該電流出力を遮断する主幹ブレーカと、前記主幹ブレーカから出力された電流を開閉する複数の分岐ブレーカと、前記複数の分岐ブレーカによって供給された分配電流を受電するコンセント部と、前記コンセント部による電流供給を制御する配電制御部とを備え、前記主幹ブレーカは、当該主幹ブレーカを流れる電流を検出する主幹電流検出部と、前記主幹電流検出部によって検出された電流値に関する主幹電流情報を前記配電制御部へ送信する主幹側通信部とを備え、前記配電制御部は、前記複数の分岐ブレーカから前記分配電流を受電するコンセント部及び前記主幹ブレーカと通信を行う制御側通信部と、前記制御側通信部により前記主幹側通信部から受信された前記主幹電流情報が、前記主幹ブレーカの出力電流が前記定格電流より小さい電流値に設定された第１閾値電流以上であることを示す場合、前記制御側通信部によって、前記コンセント部へ電流遮断を要求する遮断要求を送信させる遮断要求部とを備え、前記コンセント部は、前記配電制御部と通信を行うコンセント側通信部と、前記分岐ブレーカから受電した電流を外部へ供給する複数のコネクタ部と、前記各コネクタ部による外部への電流供給をそれぞれオン、オフする複数のスイッチ部と、前記コンセント側通信部により前記遮断要求が受信された場合、前記複数のコネクタ部のうち少なくとも一つを選択し、当該選択されたコネクタ部の電流供給を遮断するように、前記スイッチ部をオフさせるコンセント制御部とを備え、前記複数のコネクタ部には、電流供給を優先的に維持すべき度合いを示す優先度が互いに異なる度合いに設定されており、前記コンセント制御部は、前記複数のコネクタ部のうち前記優先度が最も低いコネクタ部を選択する。
【００２０】
この構成によれば、外部から受電した電流を出力すると共に当該電流が定格電流以上になった場合、当該電流出力を遮断する主幹ブレーカと、主幹ブレーカから出力された電流を開閉する複数の分岐ブレーカと、複数の分岐ブレーカによって供給された分配電流を受電するコンセント部と、複数のコンセント部による電流供給を制御する配電制御部とを備えた配電システムにおいて、主幹電流検出部によって、主幹ブレーカを流れる電流が検出され、主幹電流検出部によって検出された電流値に関する主幹電流情報が、主幹側通信部によって配電制御部へ送信される。また、配電制御部では、制御側通信部により主幹側通信部から受信された主幹電流情報が、主幹ブレーカの出力電流が定格電流より小さい電流値に設定された第１閾値電流以上であることを示す場合、遮断要求部によって、コンセント部へ電流遮断を要求する遮断要求が送信される。そして、コンセント側通信部により遮断要求が受信されると、コンセント制御部によって、複数のコネクタ部のうち少なくとも一つが選択され、選択されたコネクタ部の電流供給を遮断するように、スイッチ部がオフされる。この場合、主幹ブレーカを流れる電流が定格電流以上になって主幹ブレーカが遮断する前に、少なくとも一つのコネクタ部を流れる電流が遮断されて主幹ブレーカを流れる電流が減少するので、コネクタ部からの電力供給が遮断される影響を低減しつつ、主幹ブレーカが遮断されて全停電状態になるおそれを低減することができる。そして、主幹ブレーカを流れる電流が定格電流以上になって主幹ブレーカが遮断する前に、優先度が最も低いコネクタ部、すなわち遮断された場合の影響が最も少ないコネクタ部を流れる電流が遮断されて主幹ブレーカを流れる電流が減少するので、コネクタ部が遮断されることによる影響を低減しつつ、主幹ブレーカが遮断されて全停電状態になるおそれを低減することができる。
【００２１】
また、前記コンセント部は、前記複数のコネクタ部における前記優先度の設定を受け付ける設定受付部をさらに備えることが好ましい。この構成によれば、ユーザは、配電盤に収容されておらず、室内に配設されて操作し易い場所に取り付けられるコンセント部の設定受付部を用いて複数のコネクタ部における優先度を設定することができるので、コネクタ部に接続する電気機器の優先度に応じて柔軟に優先度を設定することが容易となる。
【発明の効果】
【００２２】
このような構成の配電システムは、主幹ブレーカが遮断して全停電になる前に、複数の分岐ブレーカのうち少なくとも一つを遮断させて主幹ブレーカを流れる電流を減少させるので、主幹ブレーカが遮断されて全停電状態になるおそれを低減することができる。
【００２３】
また、このような構成の配電システム、及び配電制御装置は、主幹ブレーカが遮断して全停電になる前に、複数のコンセント部のうち少なくとも一つを遮断させて主幹ブレーカを流れる電流を減少させるので、主幹ブレーカが遮断されて全停電状態になるおそれを低減することができる。
【発明を実施するための最良の形態】
【００２４】
以下、本発明に係る実施形態を図面に基づいて説明する。なお、各図において同一の符号を付した構成は、同一の構成であることを示し、その説明を省略する。
【００２５】
（第１実施形態）
図１は、本発明の一実施形態に係る配電制御装置を備えた配電システムの構成の一例を示すブロック図である。図１に示す配電システム１は、例えば分電盤に収納されて配設され、Ｌ１相、Ｌ２相、及びＮ相の三相からなる単相三線式の一次配線を、複数の二次配線に分配する。図１に示す配電システム１は、主幹ブレーカ２、複数の分岐ブレーカ３、及び配電制御装置４（配電制御部）を備えて構成されている。
【００２６】
図２は、図１に示す主幹ブレーカ２の構成の一例を示すブロック図である。図２に示す主幹ブレーカ２は、接続端子２０１〜２０６、遮断器２１、電流センサ２２、電力線搬送通信回路２３、及び制御部２４を備えている。そして、接続端子２０１，２０２，２０３は、単相三線式の一次配線におけるＬ１相、Ｎ相、Ｌ２相に接続される。接続端子２０１，２０２，２０３は、遮断器２１と電流センサ２２とを介して接続端子２０４，２０５，２０６と接続され、接続端子２０４，２０５，２０６が、複数の分岐ブレーカ３と接続されるようになっている。
【００２７】
遮断器２１は、主幹ブレーカ２を流れる電流Ｉｓが予め設定された定格電流以上になった場合、電流Ｉｓを遮断する。電流センサ２２は、例えばホール素子やシャント抵抗等の電流センサであり、主幹ブレーカ２を流れる電流Ｉｓを検出してその電流値を制御部２４へ出力する。
【００２８】
接続端子２０４，２０５，２０６は、電力線搬送通信回路２３を介して制御部２４と接続されている。電力線搬送通信回路２３は、電力線搬送通信を行う通信インターフェイス回路で、制御部２４からのデータを電力線搬送通信方式の通信信号に変換し、Ｌ１相、Ｎ相、及びＬ２相に重畳して接続端子２０４，２０５，２０６に接続された複数の分岐ブレーカ３へ送信すると共に、複数の分岐ブレーカ３からＬ１相、Ｎ相、及びＬ２相に重畳して送信された通信信号を制御部２４が処理可能な形式のデータに変換する通信インターフェイス回路であり、制御側通信部の一例に相当している。
【００２９】
制御部２４は、例えばマイクロコンピュータを用いて構成されており、電流センサ２２によって検出された電流Ｉｓの電流値を、主幹電流情報として電力線搬送通信回路２３から配電制御装置４へ送信させる。
【００３０】
なお、制御部２４は、例えば電流センサ２２によって検出された電流Ｉｓが、定格電流より小さい電流値に設定された第１閾値電流Ｖｔｈ１以上である場合、電流Ｉｓが第１閾値電流Ｖｔｈ１以上であることを示す情報を、主幹電流情報として電力線搬送通信回路２３から配電制御装置４へ送信させるようにしてもよい。
【００３１】
図３（ａ）は、図１に示す分岐ブレーカ３の外観の一例を示す正面図である。図３（ａ）に示す分岐ブレーカ３は、前面の視認容易な箇所に、ＬＥＤ（Light Emitting Diode）３１，３２、及び液晶表示器３３が配設されている。ＬＥＤ３１，３２は、分岐ブレーカ３が遮断された場合に遮断原因を報知するための表示部で、例えばＬＥＤ３１は、主幹ブレーカ２の遮断を回避するために遮断されたことを示し、ＬＥＤ３２は、分岐ブレーカ３の過電流により遮断されたことを示すようになっている。なお、ＬＥＤ３１，３２の代わりに、機械的に突出したり変位したりすることで表示を行う機械構造を採用してもよい。
【００３２】
図４は、図１に示す分岐ブレーカ３の構成の一例を示すブロック図である。図４に示す分岐ブレーカ３は、接続端子３０１〜３０４、ＬＥＤ３１，３２、液晶表示器３３、遮断器３４（遮断部）、電流センサ３５（分岐電流検出部）、制御部３６、及び電力線搬送通信回路３７を備えている。
【００３３】
そして、接続端子３０１は、主幹ブレーカ２から出力されたＬ１相及びＬ２相のうち、いずれか一方の配線に接続される。以下、Ｌ１相及びＬ２相を総称してＬ相と称する。接続端子３０１は、主幹ブレーカ２から出力されたＮ相の配線に接続される。接続端子３０１，３０２は、遮断器３４と電流センサ３５とを介して接続端子３０３，３０４と接続され、接続端子３０３，３０４が、例えば屋内に配設されたコンセントや家電機器等に向かう分岐配線に接続されるようになっている。
【００３４】
遮断器３４は、分岐ブレーカ３を流れる分配電流Ｉｂが予め設定された遮断電流以上になった場合、分配電流Ｉｂを遮断する。電流センサ３５は、例えばホール素子やシャント抵抗等の電流センサであり、分岐ブレーカ３を流れる分配電流Ｉｂを検出してその電流値を制御部３６へ出力する。
【００３５】
接続端子３０１，３０２は、電力線搬送通信回路３７を介して制御部３６と接続されている。電力線搬送通信回路３７は、電力線搬送通信を行う通信インターフェイス回路で、制御部３６からのデータを電力線搬送通信方式の通信信号に変換し、Ｌ相及びＮ相に重畳して接続端子３０１，３０２に接続された主幹ブレーカ２へ送信すると共に、主幹ブレーカ２からＬ相及びＮ相に重畳して送信された通信信号を制御部３６が処理可能な形式のデータに変換する通信インターフェイス回路であり、分岐側通信部の一例に相当している。
【００３６】
制御部３６例えば所定の演算処理を実行するＣＰＵ（Central Processing Unit）と、所定の制御プログラムが記録されたＲＯＭと、データを一時的に記録するＲＡＭとを備えて構成され、ＲＯＭに記憶された制御プログラムを実行することにより、遮断制御部３６１、第１電流通知部３６２、第１報知部３６３、第２報知部３６４、及び警告報知部３６５（分岐側警告報知部）として機能する。
【００３７】
遮断制御部３６１は、電力線搬送通信回路３７によって配電制御装置４からの遮断要求が受信された場合、遮断器３４によって分配電流Ｉｂを遮断する。第１電流通知部３６２は、電流センサ３５により検出された分配電流Ｉｂを示す分岐電流情報を、電力線搬送通信回路３７によって、配電制御装置４へ送信させる。
【００３８】
第１報知部３６３は、遮断器３４によって分配電流Ｉｂが遮断された場合、分配電流Ｉｂが遮断電流以上になることにより、すなわち分岐ブレーカ３の過電流により遮断されたのか、電力線搬送通信回路３７によって遮断要求が受信されることにより、すなわち主幹ブレーカ２の遮断を回避するために遮断されたのかを、ＬＥＤ３１，３２を用いて報知する。具体的には、第１報知部３６３は、分配電流Ｉｂが遮断電流以上になることにより遮断器３４が遮断された場合ＬＥＤ３２を点灯させ、電力線搬送通信回路３７によって遮断要求が受信されることにより遮断器３４が遮断された場合ＬＥＤ３１を点灯させるようになっている。
【００３９】
第２報知部３６４は、遮断器３４が遮断される直前に電流センサ３５によって検出された分配電流Ｉｂの電流値を図略のＲＡＭに記憶すると共に、当該電流値を液晶表示器３３によって表示させる。警告報知部３６５は、電力線搬送通信回路３７によって配電制御装置４からの警告報知要求が受信された場合、例えばＬＥＤ３１を点滅させることにより、警告を報知する。
【００４０】
なお、二つのＬＥＤ３１，３２を備える代わりに、例えばＬＥＤの色を変化させることにより遮断原因を報知してもよく、ＬＥＤ３１，３２を備えず、遮断原因や警告をメッセージとして液晶表示器３３に表示させるようにしてもよい。また、図３（ｂ）に示す分岐ブレーカ３ａのように、液晶表示器３３を備えず、第２報知部３６４も備えない構成としてもよい。
【００４１】
図５は、図１に示す配電制御装置４の構成の一例を示すブロック図である。図５に示す配電制御装置４は、接続端子４０１，４０２，４０３、電力線搬送通信回路４１、制御部４２、及びブザー４３を備えている。接続端子４０１，４０２，４０３は、主幹ブレーカ２から出力されたＬ１相、Ｎ相、Ｌ２相の配線にそれぞれ接続される。接続端子４０１，４０２，４０３は、電力線搬送通信回路４１を介して制御部４２と接続されている。電力線搬送通信回路４１は、電力線搬送通信を行う通信インターフェイス回路で、制御部４２からのデータを電力線搬送通信方式の通信信号に変換し、Ｌ１相、Ｎ相、Ｌ２相に重畳して接続端子４０１，４０２，４０３に接続された主幹ブレーカ２及び分岐ブレーカ３へ送信すると共に、主幹ブレーカ２及び分岐ブレーカ３からＬ１相、Ｎ相、Ｌ２相に重畳して送信された通信信号を制御部４２が処理可能な形式のデータに変換する通信インターフェイス回路であり、制御側通信部の一例に相当している。
【００４２】
制御部４２は、例えば所定の演算処理を実行するＣＰＵ（Central Processing Unit）と、所定の制御プログラムが記録されたＲＯＭと、データを一時的に記録するＲＡＭとを備えて構成され、ＲＯＭに記憶された制御プログラムを実行することにより、分岐ブレーカ選択部４２０、遮断要求部４２１、警告報知部４２２、及び警告報知要求部４２３として機能する。
【００４３】
分岐ブレーカ選択部４２０は、複数の分岐ブレーカ３から受信された各分岐ブレーカ３の分岐電流情報のうち最大の電流値を示す分岐電流情報を送信した分岐ブレーカ３を選択する。遮断要求部４２１は、電力線搬送通信回路４１により主幹ブレーカ２から受信された主幹電流情報が、主幹ブレーカ２の分配電流Ｉｂが第１閾値電流Ｖｔｈ１以上であることを示す場合、分岐ブレーカ選択部４２０によって選択された分岐ブレーカ３へ、電力線搬送通信回路４１によって遮断要求を送信させる。
【００４４】
警告報知部４２２は、電力線搬送通信回路４１により主幹ブレーカ２から受信された主幹電流情報が、主幹ブレーカ２の分配電流Ｉｂが第１閾値電流Ｖｔｈ１より小さい電流値に設定された第２閾値電流Ｖｔｈ２以上であることを示す場合、ブザー４３を鳴らして警告を報知する。なお、警告報知部４２２は、ブザー４３を鳴らして警告を報知する例に限られず、例えば音声合成回路を用いて音声メッセージにより主幹ブレーカ２の遮断が近い旨の警告メッセージを発してもよく、例えば警告灯を点灯させるようにしてもよい。また、警告報知部４２２を主幹ブレーカ２に備えてもよい。
【００４５】
警告報知要求部４２３は、電力線搬送通信回路４１により主幹ブレーカ２から受信された主幹電流情報が、主幹ブレーカ２の分配電流Ｉｂが第２閾値電流Ｖｔｈ２以上であることを示す場合、電力線搬送通信回路４１から、分岐ブレーカ選択部４２０によって選択された分岐ブレーカ３へ、警告を表示させるための警告報知要求を送信させる。
【００４６】
なお、配電制御装置４は、配電制御部として主幹ブレーカ２や分岐ブレーカ３に内蔵されていてもよい。
【００４７】
次に、上述のように構成された配電システム１の動作について説明する。図６は、図１に示す配電制御装置４の動作の一例を示すフローチャートである。以下のフローチャートにおいて、同一の動作には同一のステップ番号を付してその説明を省略する。
【００４８】
まず、主幹ブレーカ２の制御部２４によって、電流センサ２２により検出された電流Ｉｓの電流値が主幹電流情報として、例えば定期的に電力線搬送通信回路２３から配電制御装置４へ送信される。そして、配電制御装置４の電力線搬送通信回路４１によって、電力線搬送通信回路２３から配電制御装置４へ送信された電流Ｉｓの電流値を示す主幹電流情報が受信され、例えば図略のＲＡＭに電力管理テーブルとして記憶される（ステップＳ１）。
【００４９】
また、各分岐ブレーカ３の第１電流通知部３６２によって、電流センサ３５により検出された分配電流Ｉｂを示す分岐電流情報が、電力線搬送通信回路３７によって例えば定期的に配電制御装置４へ送信される。そして、配電制御装置４の電力線搬送通信回路４１によって、各分岐ブレーカ３の電力線搬送通信回路３７から配電制御装置４へ送信された分配電流Ｉｂの電流値を示す分岐電流情報が受信され、各分岐ブレーカ３における分配電流Ｉｂの電流値が例えば図略のＲＡＭに電力管理テーブルとして記憶される（ステップＳ２）。
【００５０】
次に、警告報知部４２２によって、主幹ブレーカ２を流れる電流Ｉｓと第２閾値電流Ｖｔｈ２とが比較され（ステップＳ３）、電流Ｉｓが第２閾値電流Ｖｔｈ２に満たなければ（ステップＳ３でＮＯ）再びステップＳ１〜Ｓ３を繰り返す一方、電流Ｉｓが第２閾値電流Ｖｔｈ２以上であれば（ステップＳ３でＹＥＳ）、電流Ｉｓが主幹ブレーカ２の定格容量に近く、遮断されるおそれがある旨ユーザに報知するべくブザー４３が鳴らされて警告が報知される（ステップＳ４）。
【００５１】
さらに分岐ブレーカ選択部４２０によって、電力管理テーブルが参照され、各分岐ブレーカ３のうち分配電流Ｉｂが最大の分岐ブレーカ３が選択され（ステップＳ５）、警告報知要求部４２３によって、分岐ブレーカ選択部４２０で選択された分岐ブレーカ３へ、電力線搬送通信回路４１から警告を表示させるための警告報知要求が送信される（ステップＳ６）。そうすると、各分岐ブレーカ３のうち分配電流Ｉｂが最大の分岐ブレーカ３において、電力線搬送通信回路３７によって配電制御装置４からの警告報知要求が受信され、警告報知部３６５によって、例えばＬＥＤ３１が点滅されて警告が報知される。
【００５２】
これにより、電流Ｉｓが主幹ブレーカ２の定格容量に近づくと、主幹ブレーカ２が遮断される前にユーザに警告されるので、ユーザが電力消費を減らして主幹ブレーカ２の遮断を回避することが容易となる。また、分配電流Ｉｂが最大の分岐ブレーカ３において、例えばＬＥＤ３１が点滅されて警告が報知されるので、ユーザは、最も分配電流Ｉｂが多く、従って当該分岐ブレーカ３の下流に接続された電気機器や配線系統に異常が生じている可能性が高い分岐ブレーカ３を知ることができる結果、異常原因を解消したり、電力消費の多い電気機器を停止させたりして主幹ブレーカ２の遮断を回避することが容易となる。
【００５３】
次に、遮断要求部４２１によって、主幹ブレーカ２を流れる電流Ｉｓと第１閾値電流Ｖｔｈ１とが比較され（ステップＳ７）、電流Ｉｓが第１閾値電流Ｖｔｈ１に満たなければ（ステップＳ７でＮＯ）再びステップＳ１〜Ｓ７を繰り返す。
【００５４】
一方、電流Ｉｓが第１閾値電流Ｖｔｈ１以上であれば（ステップＳ７でＹＥＳ）、電流Ｉｓが主幹ブレーカ２の定格容量に非常に近く、主幹ブレーカ２が遮断されるおそれが高いと考えられるので、遮断要求部４２１によって、分岐ブレーカ選択部４２０で選択された分岐ブレーカ３、すなわち各分岐ブレーカ３のうち分配電流Ｉｂが最大の分岐ブレーカ３へ、電力線搬送通信回路４１から遮断要求が送信される（ステップＳ８）。
【００５５】
そうすると、遮断要求が受信された分岐ブレーカ３において、遮断制御部３６１によって、遮断器３４がオフされて分配電流Ｉｂが遮断される。これにより、分配電流Ｉｂが最も多く、従って当該分岐ブレーカ３の下流に接続された電気機器や配線系統に異常が生じている可能性が高い分岐ブレーカ３が遮断されることで、主幹ブレーカ２を流れる電流Ｉｓが減少され、主幹ブレーカ２の遮断を回避することができるので、主幹ブレーカが遮断されて全停電状態になるおそれを低減することができる。
【００５６】
また、遮断要求が受信された分岐ブレーカ３では、第２報知部３６４によって、遮断器３４が遮断される直前に電流センサ３５によって検出された分配電流Ｉｂの電流値が図略のＲＡＭに記憶されると共に、当該電流値が液晶表示器３３によって表示される。そして、第１報知部３６３によって、分配電流Ｉｂが遮断電流以上になることにより遮断器３４が遮断された場合ＬＥＤ３２が点灯され、電力線搬送通信回路３７によって遮断要求が受信されることにより遮断器３４が遮断された場合ＬＥＤ３１が点灯される。
【００５７】
これにより、ユーザは、分岐ブレーカ３が遮断した場合、ＬＥＤ３１，３２の点灯状態によって、分岐ブレーカ３が遮断した原因を知ることができると共に、液晶表示器３３によって分岐ブレーカ３が遮断した際の分配電流Ｉｂを知ることができるので、ユーザが分岐ブレーカ３の遮断原因を特定して復旧処置を行うことが容易となる。
【００５８】
次に、遮断要求部４２１によって、ステップＳ１と同様にして主幹ブレーカ２を流れる電流Ｉｓが新たに取得され、当該取得された電流Ｉｓと第１閾値電流Ｖｔｈ１とが比較され（ステップＳ９）、まだ電流Ｉｓが第１閾値電流Ｖｔｈ１以上であれば、さらに分岐ブレーカ３を遮断するべくステップＳ１０へ移行し（ステップＳ９ＮＯ）、ステップＳ２と同様にして各分岐ブレーカ３を流れる分配電流Ｉｂが新たに取得され、ステップＳ５と同様にして分岐ブレーカ選択部４２０によって、各分岐ブレーカ３のうち分配電流Ｉｂが最大の分岐ブレーカ３が選択され、再びステップＳ８へ移行する（ステップＳ１０）。一方、ステップＳ９において、電流Ｉｓが第１閾値電流Ｖｔｈ１に満たなければ（ステップＳ９でＮＯ）、新たな分岐ブレーカ３を遮断する必要はないので、ステップＳ１へ移行する。
【００５９】
（第２実施形態）
次に、本発明の第２の実施形態に係る配電システム１ａについて説明する。本発明の第２の実施形態に係る配電システム１ａは、配電システム１と同様図１で示され、配電システム１とは、配電制御装置４ａの構成が異なる。また、配電制御装置４ａの構成は、配電制御装置４と同様図５で示される。図５に示す配電制御装置４ａは、配電制御装置４とは、分岐ブレーカ選択部４２０ａの動作が異なる。
【００６０】
また、配電システム１ａにおいては、各分岐ブレーカ３に、予め優先的に電流供給を維持させるべき度合いを示す優先度が設定されている。例えば、サーバー装置や監視機器のような無停電負荷機器が接続されている分岐ブレーカ３は、遮断された場合の影響が大きいので、優先度が高くなるように設定されている。
【００６１】
その他の構成は図１に示す配電システム１と同様であるのでその説明を省略し、以下配電制御装置４ａの特徴的な動作について説明する。図７は、配電制御装置４ａの動作の一例を示すフローチャートである。まず、図６に示すフローチャートと同様、ステップＳ１〜Ｓ４の処理が実行される。
【００６２】
次に、分岐ブレーカ選択部４２０ａによって、電力管理テーブルと、各分岐ブレーカ３の優先度とが確認され、優先度が低い方から順に選んだ一部の分岐ブレーカ３のうち、最大の電流値を示す分岐電流情報を送信した分岐ブレーカ３が選択される（ステップＳ１１）。
【００６３】
そして、図６のフローチャートと同様、分岐ブレーカ選択部４２０ａによって選択された分岐ブレーカ３へ、電力線搬送通信回路４１から警告を表示させるための警告報知要求が送信される（ステップＳ６）。そうすると、分岐ブレーカ選択部４２０ａによって選択された分岐ブレーカ３において、電力線搬送通信回路３７によって配電制御装置４からの警告報知要求が受信され、警告報知部３６５によって、例えばＬＥＤ３１が点滅されて警告が報知される。
【００６４】
図８は、各分岐ブレーカ３に設定されている優先度を説明するための説明図である。各分岐ブレーカ３には、分岐ブレーカ番号（例えばアドレス）が付与されており、例えば１２台の分岐ブレーカ３に、１〜１２の番号がそれぞれ付与されている。そして、番号１〜１０の分岐ブレーカ３には優先度１〜１０がそれぞれ付与され、番号１１，１２の分岐ブレーカ３には優先度ＡＡがそれぞれ付与されている。優先度は、数値が大きいほど優先度が高いことを示している。また、優先度ＡＡは、遮断要求による遮断が禁止されている分岐ブレーカを示している。
【００６５】
そして、ステップＳ１１において、分岐ブレーカ選択部４２０ａによって、優先度が低い方から順に選んだ分岐ブレーカ３、例えば番号１〜４の分岐ブレーカ３うち、最大の電流値を示す分岐電流情報を送信した分岐ブレーカ３、例えば番号３の分岐ブレーカ３が選択され、番号３の分岐ブレーカ３において、例えばＬＥＤ３１が点滅されて警告が報知される。
【００６６】
そして、図６に示すフローチャートと同様、ステップＳ７，Ｓ８の処理が実行される。そうすると、ステップＳ８において、分岐ブレーカ選択部４２０ａによって選択された番号３の分岐ブレーカ３において、遮断制御部３６１によって、遮断器３４がオフされて分配電流Ｉｂが遮断される。
【００６７】
これにより、遮断される分岐ブレーカ３が、優先度が低い方から順に選んだ中から選択されるので、分岐ブレーカ３が遮断された際の停電の影響を低減することができる。また、優先度が低い方から順に選んだ中で、最大の電流値を示す分岐電流情報を送信した分岐ブレーカ３が選択されるので、遮断される分岐ブレーカ３の数を低減することができる。
【００６８】
次に、図８に示すように、分岐ブレーカ選択部４２０ａによって、選択された番号３の分岐ブレーカ３の優先度が高められて例えば１０に変更される（ステップＳ１２）。これにより、特定の分岐ブレーカ３にのみ、遮断が集中的に繰り返されるおそれが低減される。
【００６９】
（第３実施形態）
次に、本発明の第３の実施形態に係る配電制御装置を備えた配電システムについて説明する。図９は、本発明の第３の実施形態に係る配電システム１ｂの構成の一例を示すブロック図である。図９に示す配電システム１ｂは、図１に示す配電システム１とは、コンセントボックス５（コンセント部）をさらに備える点、及び配電制御装置４ｂの動作が異なる。配電制御装置４ｂは、配電制御装置４とは、図略の主幹電流通知部と第２電流通知部とをさらに備える点、及び遮断要求部４２１ｂ、警告報知要求部４２３ｂの動作が後述のように異なる点で異なる。なお、主幹電流通知部は、主幹ブレーカ２に備えてもよく、第２電流通知部は、分岐ブレーカ３に備えるようにしてもよい。
【００７０】
図１０は、図９に示すコンセントボックス５の構成の一例を示すブロック図である。図１０に示すコンセントボックス５は、接続端子５０１，５０２、設定スイッチ５０、コネクタ５１，５２、液晶表示器５３（主幹電流情報報知部）、液晶表示器５４（分岐電流情報報知部）、液晶表示器５５（使用可能電流値報知部）、電力線搬送通信回路５６、スイッチ５７，５８、及びコンセント制御部５９を備えている。
【００７１】
コネクタ５１，５２は、ユーザが電気機器を接続するコンセント口である。接続端子５０１，５０２は、分岐ブレーカ３から出力されたＬ相、Ｎ相とそれぞれ接続される。接続端子５０１，５０２は、スイッチ５７を介してコネクタ５１と接続され、スイッチ５８を介してコネクタ５２と接続されている。また、接続端子５０１，５０２は、電力線搬送通信回路５６を介してコンセント制御部５９と接続されている。
【００７２】
電力線搬送通信回路５６は、電力線搬送通信を行う通信インターフェイス回路で、コンセント制御部５９からのデータを電力線搬送通信方式の通信信号に変換し、Ｌ相、Ｎ相に重畳して接続端子５０１，５０２に接続された主幹ブレーカ２及び分岐ブレーカ３へ送信すると共に、主幹ブレーカ２及び分岐ブレーカ３からＬ相、Ｎ相に重畳して送信された通信信号をコンセント制御部５９が処理可能な形式のデータに変換する通信インターフェイス回路であり、コンセント側通信部の一例に相当している。
【００７３】
なお、主幹側通信部、分岐側通信部、制御側通信部、及びコンセント側通信部は、電力線搬送通信（ＰＬＣ）を行うものに限られず、例えば、無線通信を行う無線通信回路であってもよく、その他種々の通信方式を用いる有線の通信回路であってもよく、ＤＬＣ（Dedicated Line Communication）用の通信回路であってもよい。主幹側通信部、分岐側通信部、制御側通信部、及びコンセント側通信部として、電力線搬送通信や無線通信を行う通信回路を用いた場合には、通信用の通信配線を別途、配設する必要がないので、通信配線のコストや配線工事の工数を削減することができる。特に、既設の建物では、主幹側通信部、分岐側通信部、制御側通信部、及びコンセント側通信部として電力線搬送通信や無線通信を行う通信回路を用いると、新たに通信配線の工事を行うことなく配電システム１，１ａ、１ｂを導入することができるので、配電システム１，１ａ、１ｂの導入が容易となる。
【００７４】
設定スイッチ５０は、コネクタ５１，５２の優先度を設定するための設定スイッチで、ディップスイッチやロータリスイッチ等の設定スイッチが用いられる。コンセント制御部５９は、例えばマイクロコンピュータを用いて構成された制御回路であり、設定スイッチ５０に設定されたコネクタ５１，５２の優先度と、配電制御装置４ｂから送信された要求に応じてスイッチ５７，５８のオン、オフを制御したり、液晶表示器５３，５４，５５の動作を制御したりする。
【００７５】
その他の構成は図１に示す配電システム１と同様であるのでその説明を省略し、以下本実施の形態の特徴的な動作について説明する。図１１は、図９に示す配電制御装置４ｂの動作の一例を示すフローチャートである。まず、主幹ブレーカ２の制御部２４によって、電流センサ２２によって検出された電流Ｉｓの電流値が主幹電流情報として、例えば定期的に電力線搬送通信回路２３から配電制御装置４ｂへ送信される。そして、配電制御装置４ｂの電力線搬送通信回路４１によって、電力線搬送通信回路２３から配電制御装置４ｂへ送信された電流Ｉｓの電流値を示す主幹電流情報が受信され、例えば図略のＲＡＭに電力管理テーブルとして記憶されると共に、主幹電流通知部によって、当該主幹電流情報が各コンセントボックス５へ送信される（ステップＳ２１）。
【００７６】
そうすると、各コンセントボックス５において、電力線搬送通信回路５６により受信された主幹電流情報で示される電流Ｉｓの電流値（電力値）が、コンセント制御部５９により液晶表示器５３で表示される。
【００７７】
また、各分岐ブレーカ３の第１電流通知部３６２によって、電流センサ３５により検出された分配電流Ｉｂを示す分岐電流情報が、電力線搬送通信回路３７によって例えば定期的に配電制御装置４ｂへ送信される。そして、配電制御装置４ｂの電力線搬送通信回路４１によって、各分岐ブレーカ３の電力線搬送通信回路３７から配電制御装置４へ送信された分配電流Ｉｂの電流値を示す分岐電流情報が受信され、各分岐ブレーカ３における分配電流Ｉｂの電流値が例えば図略のＲＡＭに電力管理テーブルとして記憶されると共に、第２電流通知部によって、各分岐ブレーカ３に接続された各コンセントボックス５へ、当該分岐ブレーカ３の分岐電流情報が送信される（ステップＳ２２）。
【００７８】
そうすると、各コンセントボックス５において、電力線搬送通信回路５６により受信された分岐電流情報で示される分配電流Ｉｂの電流値が、コンセント制御部５９によって、液晶表示器５４で表示される。
【００７９】
次に、配電制御装置４ｂの制御部４２によって、各分岐ブレーカ３の遮断電流から電流Ｉｂを差し引いた利用可能電流値が算出され、各分岐ブレーカ３に接続されたコンセントボックス５へ送信される（ステップＳ２３）。そうすると、各コンセントボックス５において、電力線搬送通信回路５６により受信された利用可能電流値が、コンセント制御部５９によって、液晶表示器５５で表示される。
【００８０】
これにより、ユーザは、配電盤内ではなく、室内に接地されたコンセントボックス５の液晶表示器５３，５４，５５によって、主幹ブレーカ２の電流Ｉｓ、当該コンセントボックス５が接続された分岐ブレーカ３の分配電流Ｉｂ、及び当該分岐ブレーカ３において、利用を増大させることが可能な電流値を確認することができるので、配電システム１ｂにおける電力使用状況を把握することが容易となる。また、ユーザは、コンセントボックス５に電気機器を接続する前に、利用可能な電流量を確認することができるので、当該コンセントボックス５に、利用可能な消費電流を超える電気機器を接続して分岐ブレーカ３や主幹ブレーカ２を遮断させてしまうおそれが低減される。
【００８１】
そして、図６と同様、ステップＳ３，Ｓ４，Ｓ５の処理が実行された後、警告報知要求部４２３ｂによって、分岐ブレーカ選択部４２０で選択された分岐ブレーカ３に接続されたコンセントボックス５へ、電力線搬送通信回路４１から警告を表示させるための警告報知要求が送信される（ステップＳ２４）。そうすると、分岐ブレーカ選択部４２０で選択された分岐ブレーカ３に接続されたコンセントボックス５において、電力線搬送通信回路５６によって配電制御装置４ｂからの警告報知要求が受信され、コンセント制御部５９によって、例えば液晶表示器５３，５４，５５に警告メッセージが表示されたり、図略のＬＥＤが発光されたりすることにより、警告が報知される。
【００８２】
これにより、電流Ｉｓが主幹ブレーカ２の定格容量に近づくと、主幹ブレーカ２が遮断される前にユーザに警告されるので、ユーザが電力消費を減らして主幹ブレーカ２の遮断を回避することが容易となる。
【００８３】
次に、遮断要求部４２１によって、主幹ブレーカ２を流れる電流Ｉｓと第１閾値電流Ｖｔｈ１とが比較され（ステップＳ７）、電流Ｉｓが第１閾値電流Ｖｔｈ１に満たなければ（ステップＳ７でＮＯ）再びステップＳ２１〜Ｓ７を繰り返す。
【００８４】
一方、電流Ｉｓが第１閾値電流Ｖｔｈ１以上であれば（ステップＳ７でＹＥＳ）、電流Ｉｓが主幹ブレーカ２の定格容量に非常に近く、主幹ブレーカ２が遮断されるおそれが高いと考えられるので、遮断要求部４２１によって、分岐ブレーカ選択部４２０で選択された分岐ブレーカ３に接続されたコンセントボックス５へ、電力線搬送通信回路４１から遮断要求が送信され、再びステップＳ２１へ移行する（ステップＳ２５）。そうすると、遮断要求が受信されたコンセントボックス５において、設定スイッチ５０によって設定されたコネクタ５１，５２の優先度が確認され、優先度が低い方のコネクタに電力を供給しているスイッチが、オフされる。
【００８５】
これにより、優先度が低く、すなわち電力供給が遮断されても影響が小さいコネクタに対応するスイッチがオフされて、主幹ブレーカ２を流れる電流Ｉｓが減少され、主幹ブレーカ２の遮断を回避することができるので、部分停電による影響を低減しつつ主幹ブレーカが遮断されて全停電状態になるおそれを低減することができる。
【００８６】
また、ユーザは、設定スイッチ５０を用いてコネクタ５１，５２の優先度を適宜設定することができるので、コネクタ５１，５２への電気機器の接続状況に応じて、柔軟にコネクタ５１，５２の優先度を設定することができる。また、設定スイッチ５０は、配電盤ではなく、室内に配設されるコンセントボックス５に設けられているので、操作性が向上する。
【００８７】
なお、分岐ブレーカ選択部４２０ａを用いて、ステップＳ５の代わりにステップＳ１１の処理を行ってもよい。また、コネクタが二つの例を示したが、三つ以上であってもよい。また、配電制御装置４ｂが利用可能電流値を算出する例を示したが、コンセントボックス５が算出するようにしてもよい。また、液晶表示器３３，５３，５４，５５には、電流値を電力値に換算して表示するようにしてもよい。
【００８８】
また、前記各分岐ブレーカは、当該各分岐ブレーカを流れる電流を検出する分岐電流検出部と、前記遮断部によって前記分配電流が遮断される直前に前記分岐電流検出部によって検出された電流値を記憶すると共に報知する第２報知部とをさらに備えることが好ましい。
【００８９】
この構成によれば、各分岐ブレーカにおいて、第２報知部によって、遮断部により分配電流が遮断される直前に分岐電流検出部によって検出された電流値が記憶されて報知されるので、ユーザは、分岐ブレーカが遮断された際に分岐ブレーカに流れていた電流を知ることができるので、分岐ブレーカが遮断された原因を調べることが容易となる。
【００９０】
また、前記複数の分岐ブレーカによって供給された分配電流を受電するコンセント部をさらに備え、前記コンセント部は、当該コンセント部に前記分配電流を供給する分岐ブレーカの遮断電流から当該分岐ブレーカを流れる電流を差し引いた電流値を報知する利用可能電流値報知部をさらに備えることが好ましい。
【００９１】
この構成によれば、複数の分岐ブレーカによって供給された分配電流がコンセント部によって受電される。また、コンセント部における利用可能電流値報知部によって、当該コンセント部に分配電流を供給する分岐ブレーカの遮断電流から当該分岐ブレーカを流れる電流を差し引いた電流値が報知されるので、ユーザは、配電盤に収容されておらず、室内に配設されて見やすい場所に取り付けられるコンセント部を見て分岐ブレーカが遮断されることなく利用可能な残りの電流容量を知ることができる結果、利用可能な残りの電流容量を超える電気機器を当該コンセント部に接続して分岐ブレーカを遮断させてしまうおそれが低減される。
【００９２】
また、前記主幹側通信部は、前記主幹電流検出部によって検出された電流値を前記主幹電流情報として前記配電制御部へ送信してもよく、前記主幹側通信部は、前記主幹電流検出部によって検出された電流値が前記第１閾値電流以上である場合、前記主幹ブレーカの出力電流が前記第１閾値電流以上であることを示す情報を、前記主幹電流情報として前記配電制御部へ送信するようにしてもよい。
【００９３】
また、本発明に係る配電制御装置は、外部から受電した電流を出力すると共に当該電流が定格電流以上になった場合、当該電流出力を遮断する主幹ブレーカと前記主幹ブレーカから出力された電流を開閉する複数の分岐ブレーカとを備えた配電システムの制御を行う配電制御装置であって、前記主幹ブレーカ及び前記複数の分岐ブレーカと通信を行う制御側通信部と、前記制御側通信部によって、前記主幹ブレーカから当該主幹ブレーカの出力電流が前記定格電流より小さい電流値に設定された第１閾値電流以上であることを示す情報が受信された場合、前記制御側通信部によって、前記複数の分岐ブレーカのうち少なくとも一つへ電流遮断を要求する遮断要求を送信させる遮断要求部とを備えるようにしてもよい。
【００９４】
この構成によれば、制御側通信部によって、主幹ブレーカから当該主幹ブレーカの出力電流が定格電流より小さい電流値に設定された第１閾値電流以上であることを示す情報が受信された場合、遮断要求部によって、制御側通信部から複数の分岐ブレーカのうち少なくとも一つへ電流遮断を要求する遮断要求が送信されるので、主幹ブレーカが遮断して全停電になる前に、複数の分岐ブレーカのうち少なくとも一つを遮断させて主幹ブレーカを流れる電流を減少させるので、主幹ブレーカが遮断されて全停電状態になるおそれを低減することができる。
【００９５】
また、本発明に係る配電制御装置は、外部から受電した電流を出力すると共に当該電流が定格電流以上になった場合、当該電流出力を遮断する主幹ブレーカと前記主幹ブレーカから出力された電流を開閉する複数の分岐ブレーカと前記複数の分岐ブレーカに接続されるコンセント部とを備えた配電システムの制御を行う配電制御装置であって、前記主幹ブレーカ及び前記複数のコンセント部と通信を行う制御側通信部と、前記制御側通信部によって、前記主幹ブレーカから当該主幹ブレーカの出力電流が前記定格電流より小さい電流値に設定された第１閾値電流以上であることを示す情報が受信された場合、前記制御側通信部によって、前記複数のコンセント部のうち少なくとも一つへ電流遮断を要求する遮断要求を送信させる遮断要求部とを備えるようにしてもよい。
【００９６】
この構成によれば、制御側通信部によって、主幹ブレーカから当該主幹ブレーカの出力電流が定格電流より小さい電流値に設定された第１閾値電流以上であることを示す情報が受信された場合、遮断要求部によって、制御側通信部から複数のコンセント部のうち少なくとも一つへ電流遮断を要求する遮断要求が送信されるので、主幹ブレーカが遮断して全停電になる前に、複数のコンセント部のうち少なくとも一つを遮断させて主幹ブレーカを流れる電流を減少させるので、主幹ブレーカが遮断されて全停電状態になるおそれを低減することができる。
【図面の簡単な説明】
【００９７】
【図１】本発明の一実施形態に係る配電制御装置を備えた配電システムの構成の一例を示すブロック図である。
【図２】図１に示す主幹ブレーカの構成の一例を示すブロック図である。
【図３】図１に示す分岐ブレーカの外観の一例を示す正面図である。
【図４】図１に示す分岐ブレーカの構成の一例を示すブロック図である。
【図５】図１に示す配電制御装置の構成の一例を示すブロック図である。
【図６】本発明の第１の実施形態に係る配電制御装置の動作の一例を示すフローチャートである。
【図７】本発明の第２の実施形態に係る配電制御装置の動作の一例を示すフローチャートである。
【図８】各分岐ブレーカに設定されている優先度を説明するための説明図である。
【図９】本発明の第３の実施形態に係る配電システムの構成の一例を示すブロック図である。
【図１０】図９に示すコンセントボックスの構成の一例を示すブロック図である。
【図１１】図９に示す配電制御装置の動作の一例を示すフローチャートである。
【符号の説明】
【００９８】
１，１ａ，１ｂ  配電システム
２  主幹ブレーカ
３，３ａ  分岐ブレーカ
４，４ａ，４ｂ  配電制御装置
５  コンセントボックス
２１  遮断器
２２，３５  電流センサ
２３，３７，４１，５６  電力線搬送通信回路
２４，３６，４２  制御部
３１，３２  ＬＥＤ
３３，５３，５４，５５  液晶表示器
３４  遮断器
４３  ブザー
５０  設定スイッチ
５１，５２  コネクタ
５７，５８  スイッチ
５９  コンセント制御部
３６１  遮断制御部
３６２  電流通知部
３６３  報知部
３６４  報知部
３６５  警告報知部
４２０，４２０ａ  分岐ブレーカ選択部
４２１，４２１ｂ  遮断要求部
４２２  警告報知部
４２３，４２３ｂ  警告報知要求部
Ｉｂ  分配電流
Ｉｓ  電流
【図１】
2008278569.tif 000003
【図２】
2008278569.tif 000004
【図３】
2008278569.tif 000005
【図４】
2008278569.tif 000006
【図５】
2008278569.tif 000007
【図６】
2008278569.tif 000008
【図７】
2008278569.tif 000009
【図８】
2008278569.tif 000010
【図９】
2008278569.tif 000011
【図１０】
2008278569.tif 000012
【図１１】
2008278569.tif 000013